(57)【要約】【課題】管状の放電路が渦巻状に旋回された蛍光ランプの口金の温度上昇を抑えることができる照明器具を提供する。【解決手段】蛍光ランプ２０を保持するランプ支持バネ１８が、管状の放電路が渦巻状に旋回された発光管２２の両端部にそれぞれ設けられた一対の口金２３を保持するので、フィラメント２５によって加熱された口金２３の熱をランプ支持バネ１８を通じて器具本体１２に逃がすことができ、口金２３の温度上昇を抑えることができる。【選択図】図５
2011029057.tif 000002
【特許請求の範囲】
【請求項１】
管状の放電路が渦巻状に旋回された発光管と前記発光管の両端部にそれぞれ設けられた一対の口金と前記口金に設けられたランプピンとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを保持する器具本体とを備えた照明器具において、
前記ランプ支持バネは、金属製であり前記口金を保持することを特徴とする照明器具。
【請求項２】
前記蛍光ランプの前面を覆うよう器具本体に取り付けられるパネルを備え、前記ランプ支特バネが、発光管端部においてフィラメントに対応する部分のパネル側を覆うことを特徴とする請求項1記載の照明器具。
【請求項３】
前記ランプ支持バネが、前記パネル側とは反対側においては前記口金に接しかつ前記発光管端部の前記フィラメントに対応する部分を覆わないことを特徴とする請求項２記載の照明器具。
【請求項４】
前記ランプ支持バネが、前記口金を側面から保持する口金保持部と、前記発光管端部の前記フィラメントに対応する部分の前記パネル側を覆う遮蔽部とを有し、前記遮蔽部が前記口金保持部から前記フィラメント側に沿って同一曲面で突出していることを特徴とする請求項２または３記載の照明器具。
【請求項５】
前記ランプ支持バネは、前記口金に接する面に、弾性を有する難燃性の薄肉層を設けたことを特徴とする請求項１乃至４の何れかに記載の照明器具。
【請求項６】
前記ランプピンは発光管の軸方向に沿って突出するよう口金に設けられるものとし、口金の外周面及びランプ支持バネに、互いに当接することによりランプピンがランプソケットから離れる方向へ蛍光ランプが移動するのを阻止する旋回移動阻止手段を設けたことを特徴とする請求項１乃至５の何れかに記載の照明器具。
【発明の詳細な説明】
【技術分野】
【０００１】
本発明は、管状の放電路が渦巻状に旋回された蛍光ランプを有する照明器具に関するものである。
【背景技術】
【０００２】
従来より、照明器具に用いられ、放電路が２重渦巻状に旋回された蛍光ランプが知られている（例えば特許文献１参照）。
図１６（Ａ）〜（Ｃ）に示すように、特許文献１に記載の蛍光ランプ１００は、管状の放電路が長手方向中央部１０１ａを中心として略同一平面に沿って２重渦巻状に旋回された発光管１０１を有しており、裏面（発光面と反対側）において中央部１０１ａを通って発光管１０１の両端部１０１ｂ、１０１ｂを連結するブリッジ１０２が設けられている。
【０００３】
ブリッジ１０２の中央部には、裏側に突出して口金１０３が設けられており、口金１０３の中央には、ランプピン１０４が設けられている。また、ブリッジ１０２から蛍光ランプ１００を貫通して複数の発光管保持部材１０２ａ、１０２ａが設けられており、発光管１０１の途中部分を保持している。さらに、口金１０３から裏側に突出して一対の保持取っ手１０３ａ、１０３ａが設けられている。
【０００４】
また、発光管１０１の両端部１０１ｂ、１０１ｂ内部には、電極としてタングステンフィラメントコイル電極１０５、１０５が封着されており、電極リード線（図示省略）間に架設されている。電極リード線は、ブリッジ１０２に沿って口金１０３まで延設されており、ランプピン１０４に接続されている。発光管１０１の両端部１０１ｂ、１０１ｂには、発光管保持部１０６、１０６が設けられている。
【先行技術文献】
【特許文献】
【０００５】
【特許文献１】特開２００７−２７３３３６号公報（第２図）
【発明の概要】
【発明が解決しようとする課題】
【０００６】
しかしながら、前述した特許文献１に記載の照明器具では、蛍光ランプ１００を点灯するとフィラメントが設けられている発光管端部１０１ｂが高温になるため、口金１０３が高温になるという問題があった。
【０００７】
本発明は、従来の問題を解決するためになされたもので、管状の放電路が渦巻状に旋回された蛍光ランプの口金の温度上昇を抑えることができる照明器具を提供することを目的とする。
【課題を解決するための手段】
【０００８】
本発明の照明器具は、管状の放電路が渦巻状に旋回された発光管と前記発光管の両端部にそれぞれ設けられた一対の口金と前記口金に設けられたランプピンとを備えた蛍光ランプと、前記ランプピンと電気的に接続されて前記蛍光ランプに電力を供給するランプソケットと、前記蛍光ランプを保持するランプ支持バネと、前記ランプソケットおよび前記ランプ支持バネを介して前記蛍光ランプを保持する器具本体とを備えた照明器具において、前記ランプ支持バネは、金属製であり前記口金を保持する構成を有している。
【０００９】
この構成により、蛍光ランプを保持する熱伝導の良好な金属製のランプ支持バネが口金を保持するので、フィラメントによって加熱された口金の熱をランプ支持バネを通じて器具本体に逃がすことができ、口金の温度上昇を抑えることができる。
【００１０】
また、本発明の照明器具は、前記蛍光ランプの前面を覆うよう器具本体に取り付けられるパネルを備え、前記ランプ支持バネが、発光管端部においてフィラメントに対応する部分のパネル側を覆う構成を有している。
【００１１】
この構成により、ランプ支持バネが、フィラメントとパネルとの間に介在することになるので、フィラメントの熱がパネルヘ伝わりにくくすることができる。これに伴い、蛍光ランプとパネルとの間隔を小さくすることができ、照明器具の薄型化を図ることができる。
【００１２】
また、本発明の照明器具は、前記ランプ支持バネが、前記パネル側とは反対側においては前記口金に接しかつ前記発光管端部の前記フィラメントに対応する部分を覆わない構成を有している。
【００１３】
この構成により、金属製のランプ支持バネが口金に接するので、口金の熱を器具本体に逃がして温度上昇を抑制することができるとともに、パネルとは反対側ではフィラメントに対応する部分を覆わないので、蛍光ランプを容易にランプ支持バネに着脱することができる。
【００１４】
また、本発明の照明器具は、前記ランプ支持バネが、前記口金を側面から保持する口金保持部と、前記発光管端部の前記フィラメントに対応する部分の前記パネル側を覆う遮蔽部とを有し、前記遮蔽部が前記口金保持部から前記フィラメント側に沿って同一曲面で突出している構成を有している。
【００１５】
この構成により、金属製のランプ支持バネの口金保持部が口金に接するので、口金の熱を器具本体に逃がして温度上昇を抑制することができる。また、ランプ支持バネの遮蔽部が発光管端部のフィラメントに対応する部分のパネル側を覆うので、フィラメントの熱がパネルヘ伝わりにくくすることができる。さらに、パネルとは反対側ではフィラメントに対応する部分を覆わないので、蛍光ランプを容易にランプ支持バネに取付けることができる。
【００１６】
また、本発明の照明器具は、前記ランプ支持バネは、前記口金に接する面に、弾性を有する難燃性の薄肉層を設けた構成を有している。
【００１７】
この構成により、ランプ支持バネの発光管に接する面に、弾性を有する難燃性（例えば、シリコン等）の薄肉層（例えば、０．５ｍｍ〜１．０ｍｍ厚）を設けたので、蛍光ランプの発光管に密着することができ、効率的に発光管の熱がランプ支持バネに伝熱し、さらに器具本体に伝熱して放熱することができる。
【００１８】
さらに、本発明の照明器具は、前記ランプピンは発光管の軸方向に沿って突出するよう口金に設けられるものとし、口金の外周面及びランプ支持バネに、互いに当接することによりランプピンがランプソケットから離れる方向へ蛍光ランプが移動するのを阻止する旋回移動阻止手段を設けた構成を有している。
【００１９】
この構成により、旋回移動阻止手段が口金の外周面およびランプ支持バネに当接することにより、ランプピンがランプソケットから離れる方向へ蛍光ランプが旋回移動するのを阻止するので、ランプピンのランプソケットからの露出、脱落を防止することができる。
【発明の効果】
【００２０】
本発明は、蛍光ランプを保持する熱伝導が良好な金属製のランプ支持バネが口金を保持するので、フィラメントによって加熱された口金の熱をランプ支持バネを通じて器具本体に逃がすことができ、口金の温度上昇を抑えることができるという効果を有する照明器具を提供できる。
【図面の簡単な説明】
【００２１】
【図１】本発明に係る第１実施形態の照明器具を示す分解斜視図
【図２】（Ａ）は平面らせん形蛍光ランプの平面図、（Ｂ）は（Ａ）中Ｂ方向から見た正面図
【図３】ランプソケットの斜視図
【図４】（Ａ）はランプ支持バネの正面図、（Ｂ）は平面図、（Ｃ）は側面図
【図５】（Ａ）はランプ支持バネの取付位置を示す斜視図、（Ｂ）は平面らせん形蛍光ランプをランプ支持バネで保持した状態を示す斜視図
【図６】（Ａ）は平面らせん形蛍光ランプを反射板に装着した状態を示す正面図、（Ｂ）は側面図、（Ｃ）は平面図
【図７】（Ａ）は第２実施形態にかかる照明器具においてランプ支持バネの取付位置を示す斜視図、（Ｂ）は平面らせん形蛍光ランプをランプ支持バネで保持した状態を示す斜視図
【図８】（Ａ）はランプ支持バネの正面図、（Ｂ）は平面図、（Ｃ）は側面図
【図９】（Ａ）は平面らせん形蛍光ランプを反射板に装着した状態を示す正面図、（Ｂ）は側面図、（Ｃ）は平面図
【図１０】（Ａ）はランプ支持バネの取付位置を示す斜視図、（Ｂ）は平面らせん形蛍光ランプをランプ支持バネで保持した状態を示す斜視図
【図１１】（Ａ）はランプ支持バネの正面図、（Ｂ）は側面図
【図１２】（Ａ）は平面らせん形蛍光ランプを取付ける前の状態を示す斜視図、（Ｂ）は平面らせん形蛍光ランプをランプ支持バネで保持した状態を示す斜視図
【図１３】（Ａ）は平面らせん形蛍光ランプを反射板に装着した状態を示す正面図、（Ｂ）は側面図、（Ｃ）は平面図
【図１４】（Ａ）は平面らせん形蛍光ランプを取付けた状態を斜めから見た斜視図、（Ｂ）はランプ支持バネの正面から見た側面図
【図１５】（Ａ）は平面らせん形蛍光ランプを反射板に装着した状態を示す正面図、（Ｂ）は側面図、（Ｃ）は平面図
【図１６】(Ａ)は従来の照明器具に用いられている平面らせん形蛍光ランプを照射方向から見た斜視図、(Ｂ)は照射方向と反対側から見た平面らせん形蛍光ランプの斜視図、(Ｃ)は照射方向から見た正面図
【発明を実施するための形態】
【００２２】
（第１実施形態）
以下、本発明の第１実施形態の照明器具について、図面を用いて説明する。
図１に示すように、本発明の第１実施形態にかかる照明器具１０は、天井や壁等の壁面１１に固定して使用するものであり、例えば矩形箱状の器具本体１２と、器具本体１２の前面開口を覆う透明あるいは半透明の樹脂等からなるパネル１３を有している。器具本体１２の底板１２ａには、一方の端部寄りに商用交流電源（図示省略）に接続されている点灯装置１４等の電気部品が取付けられており、点灯装置１４等を覆うとともにパネル１３を取付けるための取付板１５が設けられている。パネル１３は、ネジ１３ａを取付板１５のネジ穴１５ａに螺合し、締め付けることにより着脱可能に取付けられる。
【００２３】
また、底板１２ａの中央部および他方の端部よりには、蛍光ランプとしての平面らせん形蛍光ランプ２０の照明光をパネル１３側に反射して照明効率を向上させる反射板１６が設けられており、反射板１６の上面に、平面らせん形蛍光ランプ２０を装着するための一対のランプソケット１７、１７が取付けられている。これらランプソケット１７、１７は、電源線（図示省略）によって、点灯装置１４に接続されている。そして、器具本体１２における平面らせん形蛍光ランプ２０に対向する面である反射板１６の上面には、平面らせん形蛍光ランプ２０をランプソケット１７に装着した際に、平面らせん形蛍光ランプ２０の口金２３を保持するランプ支持バネ１８が設けられている。
【００２４】
図２にも示すように、平面らせん形蛍光ランプ２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３は、照射方向と反対側の裏面に設けられたブリッジ２４によって連結されている。また、各口金２３、２３には、平面らせん形蛍光ランプ２０の平面に直交する方向に一対のランプピン２１が一端を発光管２２の軸方向に沿って突出して設けられており、他端は発光管２２の内側端部に設けられているフィラメント２５（図５（Ａ）参照）に接続されている。
【００２５】
図３に示すように、ランプソケット１７は、例えば円柱状の本体１７ａを有しており、本体１７ａにはランプピン２１を挿入するためのランプピン挿入溝１７ｂが設けられている。ランプピン挿入溝１７ｂの内部には、一対のランプピン２１、２１を保持して導通するために一対の導電板１７ｃ、１７ｃが設けられている。また、取っ手１７ｅを移動させることにより、本体１７ａの外周面に沿ってランプピン挿入溝１７ｂを閉じる開閉蓋１７ｄが設けられている。
【００２６】
図４（Ａ）〜（Ｃ）に示すように、ランプ支持バネ１８は熱伝導性がよく、放熱性がよい例えばＳＫ材やＳＵＳ等の金属製であり、口金２３を側面から保持する口金保持部１８ａを有しており、口金保持部１８ａは口金２３の側面に沿った曲面を有する。口金保持部１８ａの上端部は外側へ折り返した折り返し部１８ｂが設けられており、平面らせん形蛍光ランプ２０をランプ支持バネ１８に取付けやすくしている。
【００２７】
また、口金保持部１８ａは支持部１８ｃおよびベース部１８ｄと一体的に設けられており、ベース部１８ｄは反射板１６に例えばネジ止めにより取付けられる。ランプ支持バネ１８は、平面らせん形蛍光ランプ２０を取付ける前は、平面らせん形蛍光ランプ２０の位置よりも図４（Ａ）中矢印Ａ方向に偏って取付けられており、平面らせん形蛍光ランプ２０を取付けた際に、矢印Ａ方向へ付勢されて確実に保持するようになっている。
【００２８】
平面らせん形蛍光ランプ２０を器具本体１２に取付ける際には、図５（Ａ）に示すように、平面らせん形蛍光ランプ２０の両端の口金２３、２３に設けられているランプピン２１、２１を、ランプソケット１７のランプピン挿入溝１７ｂに位置決めする。そして、ランプピン２１をランプソケット１７の内部に挿入し、口金２３をランプ支持バネ１８の口金保持部１８ａにより保持する（図５（Ｂ）参照）。その後、ランプソケット１７の取っ手１７ｅを操作して開閉蓋１７ｄを閉じることにより固定する（図６（Ａ）〜（Ｃ）参照）。
【００２９】
以上、説明した第１実施形態に係る照明器具１０によれば、平面らせん形蛍光ランプ２０を保持する熱伝導性の良好な金属製のランプ支持バネ１８が口金２３を保持するので、フィラメント２５によって加熱された口金２３の熱をランプ支持バネ１８を通じて器具本体１２に逃がすことができ、口金２３の温度上昇を抑えることができる。
【００３０】
（第２実施形態）
次に、本発明の第２実施形態の照明器具について、図面を用いて説明する。なお、前述した第１実施形態の照明器具と共通する部位には同じ符号を付して、重複する説明を省略することとする。
【００３１】
図７〜図９に示すように、本発明の第２実施形態にかかる照明器具１０Ｂでは、前述した第１実施形態に係る照明器具１０におけるランプ支持バネ１８の口金保持部１８ａをパネル１３側(図７において上側)まで延長するとともに、発光管２２の端部においてフィラメント２５に対応する部分２２ｂ(図７(Ａ)参照)のパネル１３側を覆うように発光管２２に沿って延長してランプ支持バネ１８２を形成した。なお、ベース部１８ｄ、支持部１８ｃ、折り返し部１８ｂは前述した第１実施形態と同様である。
【００３２】
ランプ支持バネ１８２は、口金２３を側面から保持する口金保持部１８ａと、フィラメントに対応する部分２２ｂのパネル１３側を覆う遮蔽部１８ｅとを設けた。すなわち、図８(Ｃ)に示すように、口金保持部１８ａをフィラメント２５側に沿って延長して遮蔽部１８ｅを設けた。従って、遮蔽部１８ｅは、フィラメント２５に対応する部分２２ｂの外側（すなわち平面らせん形蛍光ランプ２０の中心と反対側）および上部（すなわちパネル１３側）を覆うが、内側および下側は覆わない。また、遮蔽部１８ｅは、口金保持部１８ａと同一曲面で突出している。このため、外径が口金２３の外径よりも小さな発光管２２の端部においては、遮蔽部１８ｅは、発光管２２に接しない。
【００３３】
さらに、ランプ支持バネ１８２は、パネル１３側とは反対側(図７において下側)においては、口金２３に接しかつ発光管２２の端部のフィラメントに対応する部分２２ｂを覆わないようにした。すなわち、図８(Ｃ)に示すように、遮蔽部１８ｅは、口金２３の上面から側面まで設けられており、側面から下面には設けられていない。
【００３４】
以上、説明した第２実施形態にかかる照明器具１０Ｂによれば、ランプ支持バネ１８２の遮蔽部１８ｅが、フィラメント２５とパネル１３との間に介在することになるので、フィラメント２５の熱がパネル１３へ伝わりにくくすることができる。これに伴い、蛍光ランプ灯２０とパネル１３との間隔を小さくすることにより照明器具１０Ｂの薄型化を図ることができる。
【００３５】
また、ランプ支持バネ１８２の口金保持部１８ａが口金２３に接するので、口金２３の熱を器具本体１２に逃がして温度上昇を抑制することができるとともに、パネル１３とは反対側では、遮蔽部１８ｅがフィラメントに対応する部分２２ｂを覆わないので、蛍光ランプ２０を容易にランプ支持バネ１８２に着脱することができる。
【００３６】
なお、遮蔽部１８ｂによって覆う範囲は、フィラメント２５に対応する部分２２ｂに限っているので、外観を損なうことはない。
【００３７】
（第３実施形態）
次に、本発明の第３実施形態の照明器具について、図面を用いて説明する。なお、前述した第１実施形態および第２実施形態の照明器具と共通する部位には同じ符号を付して、重複する説明を省略することとする。
【００３８】
図１０に示すように、本発明の第３実施形態にかかる照明器具１０Ｃでは、前述した第１実施形態に係る照明器具１０におけるランプ支持バネ１８の、口金２３に接する面に弾性を有する難燃性の薄肉層１９を設けてランプ支持バネ１８３を形成した。なお、ベース部１８ｄ、支持部１８ｃ、折り返し部１８ｂは前述した第１実施形態と同様である。
【００３９】
図１１（Ａ）、（Ｂ）に示すように、ランプ支持バネ１８３は、発光管２２と接する箇所、すなわち口金保持部１８ａには、少なくとも発光管２２側の面（図１０（Ｂ）においては右面）に、弾性を有する難燃性の材料、例えばシリコン等により形成された薄肉層１９（例えば、０．５ｍｍ〜１．０ｍｍ厚）が設けられている。
【００４０】
以上、説明した第３実施形態にかかる照明器具１０Ｃによれば、ランプ支持バネ１８３の発光管２２に接する面に、弾性を有する難燃性の薄肉層１９を設けたので、蛍光ランプ２０の発光管２２に密着することができ、効率的に発光管２２の熱がランプ支持バネ１８３に伝熱し、さらに器具本体１２に伝熱して放熱することができる。
【００４１】
（第４実施形態）
次に、本発明の第４実施形態の照明器具について、図面を用いて説明する。なお、前述した第１実施形態〜第３実施形態の照明器具と共通する部位には同じ符号を付して、重複する説明を省略することとする。
【００４２】
図１２および図１３に示すように、本発明の第４実施形態にかかる照明器具１０Ｄでは、前述した第１実施形態に係る照明器具１０において、口金２３の外周面２３ａ及びランプ支持バネ１８に、互いに当接することによりランプピン２１がランプソケット１７から離れる方向へ蛍光ランプ２０が移動するのを阻止する旋回移動阻止手段２６を設けた。
【００４３】
すなわち、図１２に示すように、旋回移動阻止手段２６として口金２３の外周面２３ａに凹部２３ｂを設け、ランプ支持バネ１８を口金２３の凹部２３ｂに嵌合させることにより発光管２２の旋回方向への移動を阻止する。口金２３に設ける凹部２３ｂの幅は、ランプ支持バネ１８の口金保持部１８ａが嵌合可能な大きさが必要である。また、図１２（Ａ）に示すように、口金２３の周方向に沿って幅方向両端部に突起を設けることにより凹部２３ｂを形成することができるが、口金２３の肉厚を削ることにより凹部を形成するようにしてもよい。なお、凹部２３ｂは、口金２３の外側(蛍光ランプ２０の中心と反対側)の外周面２３ａに設ければ足りるが、全周に設けることも可能である。
【００４４】
従って、平面らせん形蛍光ランプ２０を器具本体１２に取付ける際には、図１２（Ａ）に示すように、平面らせん形蛍光ランプ２０の両端の口金２３、２３に設けられているランプピン２１、２１を、ランプソケット１７のランプピン挿入溝１７ｂに位置決めする。そして、ランプ支持バネ１８の口金保持部１８ａを外側へ開きながら平面らせん形蛍光ランプ２０を下降（すなわち、反射板１６に近づく方向へ移動）させて、ランプピン２１をランプソケット１７の内部に挿入するとともに、口金２３の凹部２３ｂに沿ってランプ支持バネ１８を嵌合させる。これにより、口金２３を保持する。その後、ランプソケット１７の取っ手１７ｅを操作して開閉蓋１７ｄを閉じることにより固定する。
【００４５】
以上、説明した第４実施形態に係る照明器具１０Ｄによれば、ランプ支持バネ１８が口金２３の外周面２３ａに設けられた凹部２３ｂに嵌合するので、ランプピン２１がランプソケット１７から離れる方向へ蛍光ランプ２０が旋回移動するのを阻止することができ、ランプピン２１のランプソケット１７からの露出、脱落を防止することができる。
また、蛍光ランプ２０の装着の際に、口金２３の凹部２３ｂにランプ支持バネ１８を嵌合させて、ランプ支持バネ１８に沿って蛍光ランプ２０を下降させることにより、容易に蛍光ランプ２０の位置決めを行うことができるので、蛍光ランプ２０の装着が容易になる。
【００４６】
（第５実施形態）
次に、本発明の第５実施形態の照明器具について、図面を用いて説明する。なお、前述した第１実施形態〜第４実施形態の照明器具と共通する部位には同じ符号を付して、重複する説明を省略することとする。
【００４７】
図１４および図１５に示すように、本発明の第５実施形態にかかる照明器具１０Ｅでは、前述した第１実施形態に係る照明器具１０において、口金２３の外周面２３ａ及びランプ支持バネ１８に、互いに当接することによりランプピンがランプソケットから離れる方向へ蛍光ランプが移動するのを阻止する旋回移動阻止手段２６を設けた。
【００４８】
すなわち、旋回移動阻止手段２６としての口金２３の段差２３ｃに、ランプ支持バネ１８の端面１８ｆを当接させることにより、発光管２２の旋回方向への移動を阻止する。
【００４９】
従って、平面らせん形蛍光ランプ２０を器具本体１２に取付ける際には、平面らせん形蛍光ランプ２０の両端の口金２３、２３に設けられているランプピン２１、２１を、ランプソケット１７のランプピン挿入溝１７ｂに位置決めする。そして、ランプ支持バネ１８の口金保持部１８ａを外側へ開きながら平面らせん形蛍光ランプ２０を下降（すなわち、反射板１６に近づく方向へ移動）させて、ランプピン２１をランプソケット１７の内部に挿入する。このとき、口金２３の段差２３ｃをランプ支持バネ１８の端面１８ｆに当接させ、ランプ支持バネ１８に沿って蛍光ランプ２０を下降させる。その後、ランプソケット１７の取っ手１７ｅを操作して開閉蓋１７ｄを閉じることにより固定する。
【００５０】
以上、説明した第５実施形態に係る照明器具１０Ｅによれば、ランプ支持バネ１８が口金２３の段差２３ｃに当接するので、ランプピン２１がランプソケット１７から離れる方向へ蛍光ランプ２０が旋回移動するのを阻止することができ、ランプピン２１のランプソケット１７からの露出、脱落を防止することができる。
また、蛍光ランプ２０の装着の際に、口金２３の段差２３ｃをランプ支持バネ１８の端面１８ｆに当接させ、ランプ支持バネ１８に沿って蛍光ランプ２０を下降させることにより、容易に蛍光ランプ２０の位置決めを行うことができるので、蛍光ランプ２０の装着が容易になる。
【００５１】
なお、本発明の照明器具は、前述した各実施形態に限定されるものでなく、適宜な変形，改良等が可能である。
例えば、前述した実施形態では、口金２３とブリッジ２４とを一体形成し、口金２３におけるブリッジ２４との結合部分に段差２３ｃを設けた蛍光ランプを用いて説明したが、本発明においてはこれに限定されるものではなく、例えば、口金２３におけるブリッジ２４との結合部分に段差２３ｃを設けない蛍光ランプや、ブリッジ２４を有さない蛍光ランプを用いてもよい。
【００５２】
また、前述した各実施形態では、管状の発光管２２が長手方向中央部２２ａを中心として略同一平面に沿って２重渦巻状に旋回された蛍光ランプ２０を用いて説明したが、本発明においてはこれに限定されるものではなく、例えば、発光管２２が長手方向中央部２２ａを中心として２重渦巻状に旋回され、中央部が除々に盛り上がる(盛り下がる)ような形状の発光管を有した蛍光ランプや、１重渦巻状に旋回された発光管を有した蛍光ランプを用いてもよい。
【符号の説明】
【００５３】
１０  照明器具
１２  器具本体
１３  パネル
１７  ランプソケット
１８  ランプ支持バネ
１８ａ  口金保持部
１８ｅ  遮蔽部
１９  薄肉層
２０  蛍光ランプ
２１  ランプピン
２２  発光管
２２ｂ  フィラメントに対応する部分
２３  口金
２３ａ  外周面
２３ｂ  凹部（旋回移動阻止手段）
２３ｃ  段差（旋回移動阻止手段）
２５  フィラメント
【図１】
2011029057.tif 000003
【図２】
2011029057.tif 000004
【図３】
2011029057.tif 000005
【図４】
2011029057.tif 000006
【図５】
2011029057.tif 000007
【図６】
2011029057.tif 000008
【図７】
2011029057.tif 000009
【図８】
2011029057.tif 000010
【図９】
2011029057.tif 000011
【図１０】
2011029057.tif 000012
【図１１】
2011029057.tif 000013
【図１２】
2011029057.tif 000014
【図１３】
2011029057.tif 000015
【図１４】
2011029057.tif 000016
【図１５】
2011029057.tif 000017
【図１６】
2011029057.tif 000018